(57)【要約】      （修正有）【課題】ある容器から別の容器にコイル状の溶接ワイヤを途切れなく移動させるシステム及びワイヤ保持リングを提供する。【解決手段】溶接ワイヤのコイル１０６はコイル上部１５０及びコイル底部１５２を含む。各容器１０２、１０４は少なくとも１つの垂直に延びた側壁１５６と、閉塞した底部と、溶融ワイヤを取り出すための上部開口と、外装内にありワイヤコイル１０６を受容するためのワイヤコイル受容空間とを含み、供給端１１８及び後端１２２が上部開口の近くに配置可能である。ワイヤ保持リング１３０は容器１０２及び別の容器１０４内のコイル上部１５０上に配置され、ワイヤ保持リング１３０は、コイル１０６の中心から半径方向に延びて、コイルの中心から離れた位置でコイル１０６の後端１２２を引き出せるようにするスロット１３４を含む。【選択図】図１
0003201004.tif 000002
【実用新案登録請求の範囲】
【請求項１】
ある容器から別の容器に溶接ワイヤを途切れなく移動させるために、前記溶接ワイヤのコイルを充填し且つ解くためのシステムであって、前記溶接ワイヤのコイルはコイル上部及びコイル底部を含み、前記溶接ワイヤの供給端は前記コイル上部から延び、前記溶接ワイヤの後端は前記コイル底部から延び、前記ある容器の方の前記後端は前記別の容器の方の前記供給端に連結可能であり、
前記システムは、
少なくとも１つの垂直に延びた側壁、底部、前記溶接ワイヤを取り出すための上部開口及び外装内にあり前記溶接ワイヤのコイルを受容するためのワイヤコイル受容空間を含み、前記供給端及び前記後端は前記上部開口の近くに配置可能である、少なくとも１つの容器と、
前記少なくとも１つの容器内の前記コイル上部に配置されるワイヤ保持リングであって：
内側半径及び内側間隙を有する不連続な内側リング；
前記内側半径よりも大きい外側半径を有し、前記内側リングと実質的に同心円状に配置された不連続な外側リング；
それぞれが前記内側リングから前記外側リングに半径方向に延び、前記外側リングと交差して前記外側リングの周囲沿いに複数の区域を形成する少なくとも２つのスポーク；及び
前記内側リングから前記外側リングに半径方向に延び、第１の部分及び第２の部分を有するワイヤガイドであって、スロット幅を有し、前記第１の部分を前記第２の部分から分離するスロットを含み、該スロットは前記内側リングの切れ目及び前記外側リングの切れ目を定義し、前記少なくとも２つのスポークのうちの１つの代わりの位置に配置されている、ワイヤガイド；
を含むワイヤ保持リングと
を含み、
第１の溶接ワイヤのコイルの後端は前記スロット内に位置している、システム。
【請求項２】
中間半径と、前記スロットに対応する中間間隙とを有する不連続な中間リングをさらに含み、該中間リングは前記内側リングと実質的に同心円状に配置され、前記中間半径は前記内側半径よりも大きく、前記外側半径よりも小さい、請求項１に記載のシステム。
【請求項３】
前記溶接ワイヤの前記後端は前記内側リングよりも前記外側リングに近い位置に配置されている、請求項１又は２に記載のシステム。
【請求項４】
前記少なくとも１つの容器は前記垂直に延びた側壁を所定数含み、前記スポークの数は前記垂直に延びた側壁の数と同じであり、前記垂直に延びた側壁は、前記容器の内側部分の周りで端と端とが互いに連結されて、前記垂直に延びた側壁の数と同じ数のコーナー部を形成し、各前記スポークは前記コーナー部内に配置されている、請求項１〜３のいずれか１項に記載のシステム。
【請求項５】
前記内側リングの水平面の高度は前記外側リングの水平面の高度よりも高い、請求項１〜４のいずれか１項に記載のシステム。
【請求項６】
前記中間リングの水平面の高度は前記外側リングの水平面の高度と実質的に同じである、請求項２に記載のシステム。
【請求項７】
前記第１の溶接ワイヤのコイルの後端は、前記容器のうちの１つの前記少なくとも１つの垂直に延びた側壁に形成されたワイヤ保持器内にさらに位置し、該ワイヤ保持器は具体的には前記容器に形成されたタブである、請求項１〜６のいずれか１項に記載のシステム。
【請求項８】
溶接ワイヤのコイルのためのワイヤ保持リングであって、前記コイルはコイル上部及びコイル底部を含み、前記溶接ワイヤの供給端は前記コイル上部から延び、前記溶接ワイヤの後端は前記コイル底部から延び、前記溶接ワイヤのコイルの後端は別のワイヤのコイルの供給端に連結可能であり、
前記ワイヤ保持リングは：
内側半径及び内側間隙を有する不連続な内側リング；
前記内側半径よりも大きい外側半径を有し、前記内側リングと実質的に同心円状に配置された不連続な外側リング；
それぞれが前記内側リングから前記外側リングに半径方向に延び、前記外側リングと交差して前記外側リングの周囲沿いに複数の区域を形成する少なくとも２つのスポーク；及び
前記内側リングから前記外側リングに半径方向に延び、第１の部分及び第２の部分を有するワイヤガイドであって、スロット幅を有し、前記第１の部分を前記第２の部分から分離するスロットを含み、該スロットは前記内側リングの切れ目及び前記外側リングの切れ目を定義する、ワイヤガイド；
を含むワイヤ保持リング。
【請求項９】
前記ワイヤガイドは前記少なくとも２つのスポークのうちの１つの代わりの位置に配置されている、請求項８に記載のワイヤ保持リング。
【請求項１０】
前記ワイヤガイドの半径方向端部に取り付けられた短縮スポークをさらに含む、請求項８又は９に記載のワイヤ保持リング。
【請求項１１】
前記ワイヤガイドの前記第１の部分は、前記内側リングから前記中間リングに延びた凹状端部を含み、前記第２の部分は前記内側リングから前記中間リングに延びた凸状端部を有し、前記凹状端部及び前記凸状端部の曲率半径は同じである、請求項８〜１０のいずれか１項に記載のワイヤ保持リング。
【請求項１２】
前記第２の部分は、中心軸からオフセットした放射状線に沿って前記中間リングから外側に直線状に広がり、前記第１の部分は前記凹状端部及び前記第２の部分から外側に広がって前記外側リングの近くで前記ワイヤガイド内により大きい間隙を形成する外端を含む、請求項１１に記載のワイヤ保持リング。
【請求項１３】
中間半径と、前記スロットに対応する中間間隙とを有する不連続な中間リングをさらに含み、該中間リングは前記内側リングと実質的に同心円状に配置され、前記中間半径は前記内側半径よりも大きく、前記外側半径よりも小さい、請求項８〜１２のいずれか１項に記載のワイヤ保持リング。
【請求項１４】
前記内側リングから前記中間リングに近接した位置に延びた前記スロットの部分の幅は実質的に一定であり、前記中間リングに近接した前記位置から前記外側リングに延びた前記スロットの部分の幅は前記中間リングから前記外側リングにかけて増加する、請求項１３に記載のワイヤ保持リング。
【請求項１５】
コイル状のワイヤのためのエンドレスワイヤ供給システムであって：
供給端及び後端を有し、該供給端が溶接作業用のワイヤフィーダーによって供給される第１のワイヤのコイルを含む第１の容器；
供給端及び後端を有し、該供給端が前記第１のワイヤのコイルの後端に連結されている第２のワイヤのコイルを含む第２の容器；
前記第１のワイヤのコイルの上部に配置された第１のワイヤ保持リング；及び
前記第２のワイヤのコイルの上部に配置された第２のワイヤ保持リング；
を含み、
前記第１のワイヤ保持リング及び前記第２のワイヤ保持リングのそれぞれは：
内側半径及び内側間隙を有する不連続な内側リング；
前記内側半径よりも大きい外側半径を有し、前記内側リングと実質的に同心円状に配置された不連続な外側リング；
それぞれが前記内側リングから前記外側リングに半径方向に延び、前記外側リングと交差して前記外側リングの周囲沿いに複数の区域を形成する少なくとも２つのスポーク；及び
前記内側リングから前記外側リングに半径方向に延び、第１の部分及び第２の部分を有するワイヤガイドであって、スロット幅を有し、前記第１の部分を前記第２の部分から分離するスロットを含み、該スロットは前記内側リングの切れ目及び前記外側リングの切れ目を定義し、前記少なくとも２つのスポークのうちの１つの代わりの位置に配置されている、ワイヤガイド；
を含み、
前記第１のワイヤのコイルの後端は前記スロット内に位置している、エンドレスワイヤ供給システム。
【考案の詳細な説明】
【技術分野】
【０００１】
本開示は溶接システムに関し、より具体的には複数の容器から溶接システムにコイル状のワイヤを供給するためのワイヤ保持リングに関する。
【背景技術】
【０００２】
ワイヤは容器に充填収納されてエンドユーザーに届けられることが多い。特に、溶接又は半田付けで使用されるワイヤはドラム缶又は容器に充填されるためコイル状に巻かれている。ワイヤがエンドユーザーに送られると、ワイヤは様々な処理工程で使用するために容器から供給される。多くの場合、ワイヤは容器の中に留置され、コイル全体を取り出すことなく必要に応じて計量して送り出される（metered  out）。取り出しを容易にするために、ワイヤのメーカーは、ワイヤがドラム缶に入れられる際にワイヤにねじり力（twist）を含めることが多い。これは、ワイヤが引き出されるときにワイヤが回転せずに出てくるようにするのに役立つ。
【考案の概要】
【考案が解決しようとする課題】
【０００３】
しかしながら、ワイヤをコイルから供給することには、絡み合い又は固いもつれの形成を起こさずにワイヤをスムーズに解くという課題がある。絡み合いや固いもつれの形成はワイヤの欠陥又は断線につながり、コストの大きいダウンタイムを招き得る。ワイヤには様々なことからもつれが生じ得る。例えば、コイルの上部から複数のワイヤの巻きを同時に持ち上げると、ワイヤがドラム缶から引き出されるときにワイヤが絡まり得る。他の場合では、ワイヤの巻きが解けてコイルの後ろに落ち、ワイヤが絡まってしまうことがある。これらの欠陥及び他の欠陥を解消するシステム及び方法が必要である。
【課題を解決するための手段】
【０００４】
絡み合いや固いもつれの形成を起こさずにワイヤをスムーズに解くという課題を解決するために、本考案は請求項１に記載のシステムを提案する。好ましい実施形態は従属項２〜７に開示されている。スロットが内側リングから外側リングに円弧状に延びていること及び／又は内側リングから中間リングに近接した位置に延びたスロットの部分の幅が実質的に一定であり、前記中間リングに近接した位置から外側リングに延びたスロットの部分の幅が増加すること及び／又は内側リングの切れ目に隣接するワイヤガイドの第１の部分のコーナー部にＲが設けられること（radiused）及び／又はスポークが外側リングの外側の位置で約９０°の角度で上方向に曲げられていること及び／又はスポークが一般に外側リングから内側リングに上向きに傾斜していること及び／又は外側リングから不連続な中間リングにかけてよりも不連続な中間リングから不連続な内側リングにかけてスポークの上向き傾斜角度が大きいこと及び／又はワイヤガイドがスロットのいずれかの側にあるワイヤガイドの外縁に上方にオフセットしたリップを含むことがさらに好ましい。本考案は請求項８に記載のワイヤ保持リングをさらに提案する。好ましい実施形態は従属項９〜１４に記載されている。本考案は請求項１５に記載のコイル状ワイヤのためのエンドレスワイヤ供給システムも提案する。当該システムは、不連続な内側リングと不連続な外側リングとの間に径方向に位置し、不連続な内側リングより大きく不連続な外側リングよりも小さい半径を有する不連続な中間リングをさらに含み、内側リングから中間リングに近接した位置に延びたスロットの部分の幅が実質的に一定で、前記中間リングに近接した位置から外側リングに延びたスロットの部分の幅が中間リングから外側リングにかけて増加することが好ましい。一実施形態では、ある容器から別の容器に溶接ワイヤを途切れなく移動させるために、溶接ワイヤのコイルを充填し且つ解くためのシステムが用いられる。溶接ワイヤのコイルはコイル上部及びコイル底部を含み、溶接ワイヤの供給端はコイル上部から延び、ワイヤの後端はコイル底部から延び、ある容器の後端は別の容器の供給端に連結可能である。当該システムは、少なくとも１つの垂直に延びた側壁、閉塞した底部、溶接ワイヤを取り出すための上部開口及び外装内にあり前記ワイヤコイルを受容するためのワイヤコイル受容空間を含み、供給端及び後端は上部開口の近くに配置可能である、少なくとも１つの容器を含む。ワイヤ保持リングは少なくとも１つの容器内のコイル上部に配置される。ワイヤ保持リングは内側半径及び内側間隙を有する不連続な内側リングと、外側半径を有する不連続な外側リングとを含む。外側リングの半径は内側半径よりも大きく、外側リングは内側リングと実質的に同心円状に配置されている。少なくとも２つのスポークは内側リングから外側リングに半径方向に延び、外側リングと交差して外側リングの周囲沿いに複数の区域を形成する。ワイヤリングは、内側リングから外側リングに半径方向に延び、第１の部分及び第２の部分を有するワイヤガイドも含む。ワイヤガイドは、スロット幅を有し、第１の部分を第２の部分から分離するスロットを含み、該スロットは内側リングの切れ目��び前記外側リングの切れ目を定義する。スロットは複数のスポークのうちの１つの代わりの位置に配置されている。第１のワイヤのコイルの後端はスロット内に位置している。
【０００５】
他の実施形態では、溶接ワイヤのコイルのためのワイヤ保持リングであって、コイルはコイル上部及びコイル底部を含み、溶接ワイヤの供給端はコイル上部から延び、ワイヤの後端はコイル底部から延び、ワイヤのコイルの後端は別のワイヤのコイルの供給端に連結可能である。当該ワイヤ保持リングは、内側半径及び内側間隙を有する不連続な内側リングと、内側半径よりも大きい外側半径を有し、内側リングと実質的に同心円状に配置された不連続な外側リングとを含む。当該ワイヤ保持リングは、それぞれが内側リングから外側リングに半径方向に延び、外側リングと交差して外側リングの周囲沿いに複数の区域を形成する少なくとも２つのスポークも含む。それに加えて、当該ワイヤ保持リングは、内側リングから外側リングに半径方向に延び、第１の部分及び第２の部分を有するワイヤガイドを含む。ワイヤガイドは、スロット幅を有し、第１の部分を第２の部分から分離するスロットを含む。スロットは内側リングの切れ目及び外側リングの切れ目を定義し、複数のスポークのうちの１つの代わりの位置に配置されている。
【０００６】
さらに他の実施形態では、コイル状のワイヤのためのエンドレスワイヤ供給システムは、
供給端及び後端を有し、該供給端が溶接作業用のワイヤフィーダーによって供給される第１のワイヤのコイルを含む第１の容器と、供給端及び後端を有し、該供給端が前記第１のコイルの後端に連結されている第２のワイヤのコイルを含む第２の容器とを含む。当該システムは、第１のコイルの上部に配置された第１のワイヤ保持リング及び第２のコイルの上部に配置された第２のワイヤ保持リングも含む。各ワイヤ保持リングは、内側半径及び内側間隙を有する不連続な内側リングと、内側半径よりも大きい外側半径を有し、内側リングと実質的に同心円状に配置された不連続な外側リングとを含む。ワイヤ保持リングは、それぞれが内側リングから外側リングに半径方向に延び、外側リングと交差して外側リングの周囲沿いに複数の区域を形成する少なくとも２つのスポークも含む。また、ワイヤ保持リングは、内側リングから外側リングに半径方向に延び、第１の部分及び第２の部分を有するワイヤガイドを含む。ワイヤガイドは、スロット幅を有し、第１の部分を第２の部分から分離するスロットを含む。スロットは内側リングの切れ目及び外側リングの切れ目を定義し、複数のスポークのうちの１つの代わりの位置に配置されている。第１のワイヤのコイルの後端はスロット内に位置している。
【０００７】
本概要は、本明細書においてさらに説明する一連の概念を簡略化して紹介するためのものである。本概要は請求項の主題の主要な特徴又は不可欠な特徴を特定することを意図したものでなければ、請求項の主題の範囲を限定することを意図したものでもない。さらに、請求項の主題は、本開示のいずれかの部分で言及するデメリットのいずれか又は全てを解消する実施形態に限定されない。
【図面の簡単な説明】
【０００８】
添付の図面を参照する。下記の説明でより詳細に説明するように、添付の図面には本考案の特定の実施形態及びさらなる利点が図示されている。
【図１】図１は、コイルからのワイヤの後端を絡み合いの危険性が少ない場所に配置させるワイヤ保持リングを含むエンドレスバルクワイヤシステムの斜視図である。
【図２】図２は、ワイヤコイルとワイヤ保持リングの上面図である。
【図３】図３は、ワイヤコイルとワイヤ保持リングの第１の実施形態の立面図である。
【図４】図４は、ワイヤ保持リングの第１の実施形態の上面斜視図である。
【図５】図５は、ワイヤ保持リングの第２の実施形態の上面斜視図である。
【図６】図６は、ワイヤ保持リングの第２の実施形態の立面図である。
【図７】図７は、ワイヤ保持リングの第３の実施形態の上面斜視図である。
【図８】図８は、ワイヤ保持部材の一実施形態の上面斜視図である。
【図９】図９は、ワイヤ保持リングの他の実施形態の上面斜視図である。
【図１０】図１０は、ワイヤ容器内の図９のワイヤ保持リングの斜視図である。
【考案を実施するための形態】
【０００９】
ここで図面を参照して、本考案の実施形態又は実施のいくつかを図面を併用して以下で説明する。図面では、全体を通して同様の要素を表すのに同様の参照符号を使用している。本考案の実施形態は、後端をワイヤコイルの中心から移して、係る後端が供給端と絡み合う可能性を軽減するのに利用されるワイヤ保持リングに関する。そのために、ワイヤ保持リングはワイヤコイルの上部に配置される。ワイヤ保持リングは、後端を配置するために、リングの中心からワイヤのコイルの外周に半径方向外向きに延びたスロットを含む。本考案を様々な例示の溶接システムの文脈のなかで以下図示説明するが、本考案は説明する例に限定されない。
【００１０】
より具体的には、本考案の実施形態はエンドレスバルクワイヤの容器の構成に関する。第１の容器は、コイル上部及びコイル底部を含むワイヤコイルを含み、コイルの供給端はコイルの上部のコイルの中心にある開口から引き出される。コイルの後端もコイルの中心から引き出されるため、ワイヤ供給作業の間に供給端と後端とが潜在的に絡み合う危険性が生じる。本考案の実施形態は、後端をワイヤコイルの中心から移してワイヤの端部同士が絡み合う可能性を軽減するのに利用されるワイヤ保持リングに関する。その目的のために、ワイヤ保持リングはワイヤコイルの上部に配置され、リングの中心からワイヤコイルの外周に半径方向外向きに延びたスロットを含む。このように、容器を開いたときに、保持リングに形成されたスロットにおいて後端を手動で半径方向外向きに配置して、絡み合いの危険性がない容器のコーナー部に移すことができる。後端は、溶接機に対するエンドレスなワイヤの供給を提供するために別の容器内のコイルに連結され得る。この構成を必要に応じて繰り返し実施して、溶接システムへのエンドレスなワイヤの供給を効果的に提供することができる。
【００１１】
図１は、電気溶接機又はアーク溶接機等の溶接システムへのエンドレスなワイヤの供給を促進するコイルシステム１００を示す。本実施形態は、溶接システムへの溶接ワイヤの送達を促進するために相互に連結された複数のワイヤコイルと、ワイヤがコイルから供給されるときに起こり得る絡み合い又は他の障害を軽減することに関する。第１の容器１０２は第２の容器１０４に隣接しており、第１の容器１０２はワイヤコイル１０６を収容し、第２の容器１０４はワイヤコイル１０８を収容している。コイル１０６、３０８は、らせん状に巻かれ環状断面を有する中空体を形成する溶接ワイヤを含む。図１では、容器１０２、１０４は、輸送又は他の搬送の際にコイルの動きを軽減するために容器の内部に配置された複数の壁を有する。第１のワイヤコイル１０６は、溶接システム又は他の好適な受け手（receiving  component）に供給される供給端１１８を有する。後端１２２は、位置１４２で第２のコイルの供給端１２４に溶接されているか、供給端１２４と融合しているか又は連結されている。
【００１２】
第１の容器１０２及び第２の容器１０４は並んで配置されているため、ワイヤが容器１０２から供給され、その後容器１０４からワイヤが供給されるよう自動的に切り替わる。容器１０２内のワイヤを使い尽くした後、容器１０４内のワイヤが第２の容器から引き出されて、最終的に第１の容器の位置に移る。その後、コイルワイヤが供給されて第２の容器の空き位置に充填される。２つのワイヤはエンドレスな溶接ワイヤを形成するために連結されている（例えば、標準的な突き合わせ溶接により）。本明細書で使用の「エンドレス」という用語は、装置に少なくとも２つの容器があり、第１の容器１０２内のワイヤの後端が第２の容器１０４内の第２のワイヤコイル１０８の供給端１２４に連結していることを意味する。同様に、第２のワイヤコイル１０８の後端１２６が続いて別の容器等につながっていてもよい。
【００１３】
容器は、円形のドラム缶、１つ以上の垂直壁を有する正方形の段ボール容器又は溶接ワイヤの収納及び供給に適した任意の容器であり得る。図１に示す容器は、コイル１０６、１０８の形の溶接ワイヤを含む。コイル１０６、１０８は、供給端１１８、１２４及び後端１２２、１２６をそれぞれ有する。搬送されたとき、コイルの後端は緩んでおり、供給端はコイルの底部にある後端に達するまでコイルから引き出される。その時、後端は次のコイルの供給端に連結されているため、現在のコイルから次のコイルに自動的に切り替わる。容器が輸送されたときのコイルの終端の状態を説明するために、コイル１０６の後端１２２をコイル１０６の底部１５２を起点とするものとして図示している。そのため、コイル１０６を使い尽くした場合、容器から引き出されるコイルの最後の部分が後端１２２である。この端部は、コイル１０６を使い果たし、切り替えにより第１の（空の）容器１０２の位置に移されたコイル１０８にコイル１０６が交換された場合に次のコイルの供給端に最終的に連結される（例えば、突き合わせ溶接される）部分である。
【００１４】
ワイヤコイル１０６は、コイル１０６の上部１５０の近くから延びた供給端１１８及びワイヤコイル１０６のコイル底部１５４の近くから延びた後端１２２をさらに含む。供給端１１８は溶接作業のためにコイルの中心から供給される。後端１２２は、底部の近くからコイルの底部を横断し、そして壁１７２を上りコイル１０６の中心の方へと延びるように配置されている。同様に、ワイヤコイル１０８は、底部１５２のコイル１０６の中心から引き出される供給端１２４をさらに含む。コイル１０８の底部１５４からの第２のコイルの後端１２６は、第１のコイル１０６を使い果たした後で次ぎにセットされるコイルに連結されるように配置されている。ワイヤコイル１０６、１０８は当該技術分野で既知の任意の巻き上げ技術で巻かれた当該技術分野で既知の任意のコイルでよく、パッケージの底部に位置するコイル底部と、コイル底部に対向するコイル上部とを含み得る。ワイヤコイル１０６、１０８は、コイル底部とコイル上部との間に広がる円筒状の外面及び円筒状の内面をさらに含む。溶接ワイヤを容器１０２、１０４内で巻く方法により、個々のワイヤ１０６、１０８は、コイルにおいて半径方向外向きの力及び上向きのバネ力を生成する生来的傾向（natural  cast）を有することができる。上向きのバネ力はワイヤ保持リング１３０によって維持及び制御される（下記でより詳細に説明）。コイル１０６、１０８の半径方向外向きの力は、少なくとも部分的に容器１０２、１０４の壁によって制御される。
【００１５】
容器１０２、１０４の内部はワイヤコイル１０６、１０８をそれぞれ受容するように構成されている。一実施形態では、容器１０２、１０４は円形の断面を有するドラム缶様の容器であり得る。代替的な実施形態では、床板１６０によって互いに連結された４つの側壁１５６を有する立方体状の容器を含む。ワイヤコイル１０６、１０８の外周と内接する多角形の境界を形成する挿入体を追加してもよい。具体的には、コーナー部挿入体１５８を容器１０２、１０４内に垂直に配置して８角形の境界が形成され得る。図示していないが、容器１０２、１０４は垂直に延びた裏張り、防湿材、押さえ機構又は他の溶接ワイヤ充填部品といった内部充填部品も含むこともできる。それに加えて、容器１０２、１０４は、破片や他の汚染物質が各容器に入るのを防止するように構成された容器の蓋（図示せず）で覆われていてもよい。
【００１６】
ワイヤ保持リング１３０は、容器１０２、１０４のそれぞれの内のコイルの上部に配置されている。図１に示すように、ワイヤ保持リング１３０は、同心円状に配置された３つの不連続なリング、即ち内側リング１６２、中間リング１６４及び外側リング１６６を含む。内側リングは、複数のスポーク１６８によって中間リング及び外側リングに連結されている。複数のスポーク１６８は円弧状間隔（arc  interval）で、好ましくは図示するように内側リングの周囲を等間隔で配置されている。スポーク１６８は外側リング１６６の近傍及び内側リング１６２の双方において上方延長部を有し得る。あるいは又はそれに加えて、スポーク１６８は容器１０２、１０４の内壁（例えばコーナー部内）と隣接するために外側リング１６６の半径を超えて延びていてもよい。ワイヤ保持リング１３０はスロット１３４を含む。図２に示すように、スロット１３４は第１のスロットレール１３６及び第２のスロットレール１３８により定義される。スロット１３４は、構造面での一体性のためにスポーク１６８に代えて配置され得る。図２及び図４に示すように、スロット１３４は内側リング１６２から外側リング１６６に延びている。連続したスロットを提供するために、内側リングは内側間隙２２２を含み、中間リングは中間間隙２２４を含む。一実施形態では、スロット１３４は内側リング１６２から外側リング１６６に延びた単一のスロットである。図４に最良の形で示すように、スロットは第１のスロットレール１３６及び第２のスロットレール１３８で構成され、内側リング１６２から外側リング１６６に延びている。
【００１７】
図４に示すように、接続要素４１２は外側リング１６６に配置されている。接続要素４１２は、第１のスロットレール１３６を第１の補助レール２１４に連結する第１の垂直レール４１４を含む。接続要素４１２内の第２の垂直レール４１６は、第２のスロットレール１３８を第２の補助レール２１６に連結する。そのような構成では、冗長なスロット構成を利用する第１の実施形態と同様に、後端１２２をコイルの中心から遠ざけることができる。しかしながら、スロットの構成に関係なく、確実に後端をコイルの中央の供給位置から遠ざけて絡み合いが起こらないようにすること及び後端１２２を別のコイルの供給端（例えば供給端１２４）に単純化して連結するために任意の構成が考えられる。このように第１のワイヤコイル１０６からの後端１２２をワイヤコイル１０６の中心から遠位の位置に配置し保持することができる。ワイヤの供給端１１８は溶接機又は他の受け手に供給されるが、ワイヤの後端１２２は係る供給を妨げることはなく、ワイヤの端部同士の絡み合い又は干渉による他の否定的な結果が回避される。接続要素４１２を外側リング１６６の外縁を超えて延びているように図示しているが、接続要素を外縁又は内側で止まるように構成してもよいため、デザインをそのような形に限定する必要はない。
【００１８】
ワイヤ保持リング１３０は多種多様な材料で構成することができる。多種多様な材料としては限定されないが、鋼鉄、アルミニウム、銅、ニッケル、ステンレス鋼及び真ちゅうが挙げられる。あるいは又はそれに加えて、ワイヤ保持リング１３０内の部品は熱可塑性プラスチック、熱硬化性樹脂、三元重合体及び／又は重合体を含み得る。モノオレフィン及びジオレフィンの重合体としては、例えばポリプロピレン、ポリイソブチレン、ポリブテン−１、ポリメチルペンテン−１、ポリイソプレン又はポリブタジエンが挙げられる。それに加えて、シクロオレフィンの重合体、例えばシクロペンテン又はノルボルネンの重合体、ポリエチレン（任意で架橋されていてもよい）、例えば高密度ポリエチレン（ＨＤＰＥ）、低密度ポリエチレン（ＬＤＰＥ）及び鎖状低密度ポリエチレンを用いてもよい。これらの重合体の混合物、例えばポリプロピレンとポリイソブチレンとの混合物、ポリプロピレンとポリエチレンとの混合物（例えばＰＰ／ＨＤＰＥ）も用いられ得る。モノオレフィンとジオレフィンとの共重合体又は他のビニル単量体との共重合体も有用である。それらの例としては：エチレン／プロピレン、ＬＬＤＰＥ及びＬＬＤＰＥとＬＤＰＥとの混合物、プロピレン／ブテン−１、エチレン／ヘキセン、エチレン／エチルペンテン、エチレン／ヘプテン、エチレン／オクテン、プロピレン／ブタジエン、イソブチレン／イソプレン、エチレン／アクリル酸アルキル、エチレン／メタクリル酸アルキル、エチレン／酢酸ビニル（ＥＶＡ）又はエチレン／アクリル酸共重合体（ＥＡＡ）及びそれらの塩（アイオノマー）；並びにエチレンとプロピレン及びヘキサジエン、ジシクロペンタジエン又はエチリデン−ノルボルネン等のジエンの三元重合体；に加えて、そのような共重合体の混合物及びそれらと上述の重合体との混合物、例えばポリプロピレン／エチレンプロピレン共重合体、ＬＤＰＥ／ＥＶＡ、ＬＤＰＥ／ＥＡＡ、ＬＬＤＰＥ／ＥＶＡ及びＬＬＤＰＥ／ＥＡＡが挙げられる。
【００１９】
熱可塑性重合体としては、スチレン重合体（例えば、ポリスチレン、ポリ（ｐ−メチルスチレン）、ポリ（α−メチルスチレン）等）、スチレン、ｐ−メチルスチレン又はα−メチルスチレンとジエン又はアクリル酸誘導体との共重合体（例えば、スチレン／ブタジエン、スチレン／アクリロニトリル、スチレン／メタクリル酸アルキル、スチレン／マレイン酸無水物、スチレン／ブタジエン／アクリル酸エチル、スチレン／アクロニトリル／メタクリレート等）、スチレン共重合体及び他の重合体からの耐衝撃性混合物（例えば、ポリアクリレート、ジエン重合体又はエチレン／プロピレン／ジエン三元重合体等）及びスチレンのブロック重合体（例えばスチレン／ブタジエン／スチレン、スチレン／イソプレン／スチレン、スチレン／エチレン／ブチレン／スチレン又はスチレン／エチレン／プロピレン／スチレン）が挙げられる。あるいは又はそれに加えて、スチレン重合体としてはスチレン又はα−メチルスチレンのグラフト共重合体（例えば、ポリブタジエンにスチレンをグラフト共重合させたもの、ポリブタジエン−スチレン又はポリブタジエン−アクリロニトリルにスチレンをグラフト共重合させたもの、ポリブタジエンにスチレン及びアクリロニトリル（又はメタクリロニトリル）をグラフト共重合させたもの、ポリブタジエンにスチレン及びマレイン酸無水物又はマレイミドをグラフト共重合させたもの、ポリブタジエンにスチレン、アクリロニトリル及びマレイン酸無水物又はマレイミドをグラフト共重合させたもの、ポリブタジエンにスチレン、アクリロニトリル及びメタクリル酸メチルをグラフト共重合させたもの、ポリブタジエンにスチレン及びアクリル酸アルキル又はメタクリレートをグラフト共重合させたもの、エチレン／プロピレン／ジエン三元重合体にスチレン及びアクリロニトリルをグラフト共重合させたもの、ポリアクリレート又はポリメタクリレートにスチレン及びアクリロニトリルをグラフト共重合させたもの、アクリレート／ブタジエン共重合体にスチレン及びアクリロニトリルをグラフト共重合させたものに加えて、上述のスチレン共重合体の混合物が挙げられる。
【００２０】
ニトリル重合体も有用である。これらにはアクリロニトリル及びその類似体（例えばメタクリロニトリル）の単独重合体及び共重合体が含まれる。それらの例としては、ポリアクリロニトリル、アクリロニトリル／ブタジエン重合体、アクリロニトリル／アクリル酸アルキル重合体、アクリロニトリル／メタクリル酸アルキル／ブタジエン重合体、アクリロニトリル／ブタジエン／スチレン（ＡＢＳ）及びメタクリロニトリルを含むＡＢＳが挙げられる。
【００２１】
アクリル酸類（アクリル酸、メタクリル酸、メタクリル酸メチル及びエタクリル酸並びにそのエステル等）ベースの重合体も用いられ得る。そのような重合体としてはポリメチルメタクリレートや、アクリロニトリル型の単量体の全て又は一部がアクリル酸エステル又はアクリル酸アミドに置換されたＡＢＳ型グラフト共重合体が挙げられる。アクロレイン、メタクロレイン、アクリルアミド及びメタクリルアミド等の他のアクリル型単量体を含む重合体も用いられ得る。
【００２２】
ハロゲン含有重合体も有用であり得る。これらの例としては、ポリクロロプレン、エピクロロヒドリン単独重合体及び共重合体、ポリ塩化ビニル、ポリ臭化ビニル、ポリフッ化ビニル、ポリ塩化ビニリデン、塩素化ポリエチレン、塩素化ポリプロピレン、フッ素化ポリビニリデン、臭素化ポリエチレン、塩素化ゴム、塩化ビニル−酢酸ビニル共重合体、塩化ビニル−エチレン共重合体、塩化ビニルプロピレン共重合体、塩化ビニル−スチレン共重合体、塩化ビニル−イソブチレン共重合体、塩化ビニル−塩化ビニリデン共重合体、塩化ビニル−スチレン−マレイン酸無水物三元共重合体、塩化ビニル−スチレン−アクリロニトリル共重合体、塩化ビニル−イソプレン共重合体、塩化ビニル−塩素化プロピレン共重合体、塩化ビニル−塩化ビニリデン−酢酸ビニル三元共重合体、塩化ビニル−アクリル酸エステル共重合体、塩化ビニル−マレイン酸エステル共重合体、塩化ビニル−メタクリル酸エステル共重合体、塩化ビニル−アクリロニトリル共重合体及び内部可塑化ポリ塩化ビニル等の樹脂が挙げられる。
【００２３】
他の有用な熱可塑性重合体としては環状エステルの単独重合体及び共重合体が挙げられる。それらの例としては：ポリアルキレングリコール、ポリエチレンオキシド、ポリプロピレンオキシド又はそのビス−グリシジルエーテルとの共重合体；ポリオキシメチレン及び共単量体としてエチレンオキシドを含むポリオキシメチレン等のポリアセタール；ＡＢＳを含有する熱可塑性ポリウレタン、アクリレート又はメタクリロニトリルで変性したポリアセタール；ポリフェニレンオキシド及びスルフィド並びにポリフェニレンオキシドとポリスチレン又はポリアミドの混合物；ポリカーボネート及びポリエステルカーボネート；ポリスルホン、ポリエーテルスルホン及びポリエーテルケトン；及びポリエチレンテレフタレート、ポリブチレンテレフタレート、ポリ−１，４−ジメチルロール−シクロヘキサンテレフタレート、ポリ−[２，２，４−（４−ヒドロキシフェニル）−プロパン]テレフタレート及びポリヒドロキシベンゾエート等のジカルボン酸及びジオール由来の及び／又はヒドロキシカルボン酸又は対応するラクトン由来のポリエステルに加えて、ヒドロキシ末端基を有するポリエーテル由来のブロックコポリエーテルエステルが挙げられる。
【００２４】
ジアミン及びジカルボン酸由来の及び／又はアミノカルボン酸又は対応するラクタム由来のポリアミド及びコポリアミドも有用であり得る。それらの例としては、ポリアミド−４、ポリアミド−６、ポリアミド−６／６、ポリアミド−６／１０、ポリアミド−６／９、ポリアミド−６／１２、ポリアミド−４／６、ポリアミド−１１、ポリアミド−１２、ｍ−キシレン、ジアミン及びアジピン酸の縮合により得られた芳香族ポリアミド；ヘキサメチレンジアミン及びイソフタル酸及び／又はテレフタル酸から調製し、任意でエラストマーを重合剤として用いて調製したポリアミド、例えばポリ−２，４，４−トリメチルヘキサメチレンテレフタルアミド又はポリ−ｍ−フェニレンイソフタルアミドが挙げられる。上述のポリアミドとポリオレフィン、オレフィン共重合体、アイオノマー又は化学結合又はグラフトエラスマーとのさらなる共重合体又は例えばポリエチレングリコール、ポリプロピレングリコール又はポリテトラメチレングリコール等のポリエーテルとの共重合体、及びＥＰＤＭ又はＡＢＳで変性したポリアミド又はコポリアミドを用いてもよい。
【００２５】
材料に関わらず、厚さを増やすこと及び／又はリング１６２、１６４、１６６及びスポーク１６８の構成材料を置き換えることでワイヤ保持リング１３０の剛性を変えて、溶接ワイヤをワイヤコイルから解く作業の間にリングの本体が屈折するか又は変形するのを最小限に抑えることができる。この構成要素の厚さを変えることは変更可能な重さと同等でもあり、様々な種類及び寸法の溶接ワイヤで用いることができる。例えば、ワイヤ保持リング１３０は、溶接ワイヤのゲージ、溶接ワイヤのねじれ、溶接ワイヤの素材及び他の関連要因に対して変化する重さの範囲を有し得る。一実施形態では、ワイヤ保持リング１３０の重さは１〜７ポンドであり、その重さは様々なワイヤに用いるために調整可能である。その場合、様々なモデルのワイヤ保持リングは必要に応じて重さが異なる。例えば、ゲージの大きい溶接ワイヤに用いる場合、ワイヤ保持リング１３０の全重量は５ポンドであり得るのに対して、比較的ゲージの小さい溶接ワイヤに用いる場合ワイヤ保持リング１３０の重量は２ポンドである。スポークの追加又は除去及び／又は材料の厚さの変更を利用して、所望の重さを得ることができる。このように、ワイヤ保持リング１３０は、コイルの押し付けが過度であるか又は押しつけが少ないことによりコイル１０６、１０８からのワイヤの供給の妨げになることはない。
【００２６】
図２は、内側リング１６２、中間リング１６４及び外側リング１６６の構成を説明するためのワイヤ保持リング１３０の上面図を示す。図示するように、不連続なリングが互いに同心円状に配置され、複数のスポーク１６８により共に連結されている。なお、１つの中間リング１６４のみを図示しているが、使用する中間リングの数は実質的に任意であり、それには各用途のために必要に応じて中間リングを除去することを含む。図示するように、後端１２２をスロット１３４を出て、内側リングから遠位の位置に配置されているように図示している。供給端１１８は、内側リングを通りコイル１０６から溶接システム等の受け手に供給される。
【００２７】
図３は、ワイヤ保持リング１３０内のリングによって定義される水平面の高度（elevation）を示す。コイル１０６から供給端１１８を供給するための柔軟性を許容するために、内側リング１６２は中間リング１６４及び外側リング１６６に対して隆起しているものとして図示している。中間リング及び外側リングに対する内側リング１６２の高さを様々な用途において変えることができ、中間リング及び外側リングの高さと同じでもよいし又は中間リング及び外側リングの高さより低くてもよい。中間リング１６４の高度と外側リング１６６の高度は実質的に同じである。内側リング１６２の高度は中間リング１６４及び外側リング１６６よりも高いため、スロット１３４は内側リングの方に上向きに傾斜し得る。この構成は、内側リングを通してコイルからワイヤを上方に供給すること及び各容器の外に出すことを容易にできる。
【００２８】
図５はワイヤ保持リングの第２の実施形態の上面斜視図であり、ワイヤ保持リング５００を示す。ワイヤ保持リング５００は、不連続な内側リング５６２、不連続な中間リング５６４及び外側リング５６６を含み、それらのリングは互いに軸方向に且つ同心状に並んでいる（axially  concentrically  aligned）。内側リング５６２の半径はＡであり、中間リングの半径はＢであり、外側リングの半径はＣであり、半径Ｃは半径Ｂよりも大きく、半径Ｂは半径Ａよりも大きい。さらに、内側リング５６２の中心から上昇動作で引き出されたワイヤに対応するために、内側リングによって定義される水平面の高度は外側リングの高度よりも高い。中間リング５６４の高度は外側リング５６６の高度と実質的に同じである。中間リング５６４に対する内側リング５６２の高度は図６に示してある。
【００２９】
複数のスポーク５６８が内側リング５６２から外側リング５６６に延びて、ワイヤ保持リング５００に構造的な支持を提供し、さらなる重量を加え、容器内での位置を維持する。スポークはリング５６２、５６４及び５６６のそれぞれに連結されているため、外側リング５６６及び中間リング５６４に対する内側リングの高度によりスポークは一般に外側リングから内側リングの方に上向きに傾斜している。本実施形態で示すように、ある例ではワイヤ保持リング５００は、それぞれが内側リング５６２から外側リング５６６に半径方向に延びた８つのスポーク５６８を有する。８つのコーナー部を有する容器（例えば、図１及び図２に示す８つの垂直壁の交差点）では、各スポーク５６８がコーナー内に配置されて、容器内でのワイヤ保持リング５００の側方の運動を軽減する。スポークの長さは半径Ｃより小さくてもよいし、半径Ｃと実質的に同じでもよいし又は半径Ｃより大きくてもよい。一実施形態では、スポーク５６８は半径Ｃよりも長い。スポーク５６８は外側リングと交差して、外側リング５６６沿いに弧長５９２を有する複数の区域を形成する。スポークは外側リングの周囲に実質的に同じオフセット角度で配置されているため、スポーク間の区域の距離は実質的に同じ弧長５９２を有する。スポーク５６８は内側端５８２及び外側端５８４を有し、遠位端５８２及び５８４は約９０°の角度で上方向に曲げられている。この特徴によっても、ワイヤが保持リング５００と絡み合う危険性を軽減できる。
【００３０】
ワイヤスロット５３４は、第１のスロットレール５２６及び第２のスロットレール５２８によって定義される。第１のスロットレール５２６及び第２のスロットレール５２８の双方は内側リング５６２から外側リング５６６に延びている。ワイヤスロット５３４は、構造面での全体的な一体性を維持するためにスポーク５６８の代わりの場所に通常位置している。内側リングには内側間隙５７２が、中間リングには中間間隙５７４が形成されてワイヤ保持リングの内側から外側に連続したスロットを促す。一実施形態では、内側間隙５７２の幅は中間間隙５７４の幅よりも小さい。しかしながら、内側間隙５７２の幅は中間間隙５７４に対して実質的に任意の大きさでよいことが分かる。ワイヤスロット５３４を用いて、ユーザーはワイヤの後端（例えば後端１２２）を内側リング５６２から出して外側リング５６６の近くの位置に、例えば図６に示すように中間リング５６４と外側リング５６６との間に移すことができる。その間、ワイヤの供給端は溶接作業のために内側リングから引き出される。コイルが容器内のコイルの上部から底部の方に消費されるのに従って、ワイヤがワイヤスロット５３４を介して引き上げられ、その間に後端が第１の容器から取り出されて第２の容器内の第２のコイルの先端になる。このエンドレスなワイヤ構成を円滑にするために、後端は第２のコイルの先端と融合しているか、溶接されているか又は連結されている。後続のコイルの全てもワイヤ保持リングを含むことができるため、ワイヤに関連するもつれを軽減しながら溶接システムに対するエンドレスなワイヤの供給を効果的に提供することができる。
【００３１】
図７はワイヤ保持リング７００の第３の実施形態の上面斜視図である。ワイヤ保持リング７００は不連続な内側リング７６２、不連続な中間リング７６４及び外側リング７６６を含む。それらのリングは軸方向に且つ同心円状に並んでいるか又は互いに同軸に並んでいる。内側リング７６２の半径はＡであり、中間リング７６４の半径はＢであり、外側リング７６６の半径はＣであり、半径Ｃは半径Ｂよりも大きく、半径Ｂは半径Ａよりも大きい。それに加えて、内側リングの中心から上昇動作で引き出されるワイヤに対応するために、内側リング７６２によって定義される水平面の高度は、外側リング７６６によって定義される水平面の高度よりも高い。中間リング７６４によって定義される水平面の高度は外側リング７６６によって定義される水平面の高度と実質的に同じである。
【００３２】
複数のスポーク７６８が内側リング７６２から外側リング７６６に半径方向に延びて、ワイヤ保持リング７００に構造的な支持を提供し、さらなる重量を加え、容器内でのワイヤ保持リング７００の位置又は指印を維持する。スポークはリング７６２、７６４及び７６６のそれぞれに連結されているため、外側リング７６６及び中間リング７６４に対する内側リングの高度によりスポークは一般に外側リングから内側リングの方に上向きに傾斜している。本実施形態で示すように、ある例ではワイヤ保持リング７００は、それぞれが内側リング７６２から外側リング７６６に半径方向に延びた７つのスポーク７６８を有する。８つのコーナー部を有する容器（例えば、図１及び図２に示す８つの垂直壁の交差点）では、各スポーク７６８がコーナー部内に配置されて、容器内でのワイヤ保持リング７００の側方又は回転運動を軽減する。スポークの長さは半径Ｃより小さくてもよいし、半径Ｃと実質的に同じでもよいし又は半径Ｃより大きくてもよい。一実施形態では、スポーク７６８は半径Ｃよりも長い。スポーク７６８は外側リングと交差して、外側リング７６６沿いに弧長を有する複数の区域７９２を形成する。スポーク７６８は外側リング７６６の周囲に実質的に同じオフセット角度で配置されているため、区域７９２は実質的に同じ弧長を有する。スポーク７６８は内側端７８２及び外側端７８４を有し、外側端７８４は約９０°の角度で上方向に曲げられている。これらの上向きの端部７８２、７８４は容器内でのリング７００の動きを軽減することに加えて、ワイヤが保持リング７００と絡み合う危険性も軽減し得る。
【００３３】
図７に示す実施形態では、ワイヤ保持リング７００はプレート７３０も含む。プレート７３０は内側リング７６２から外側リング７６６に半径方向に広がり、リング７００の内側リング７６２及び外側リング７６６に取り付けられている。それに加えて、プレート７３０を中間リング７６４にも取り付けてもよい。プレート７３０は、溶接、半田付け又は当業者に既知の他の接合技術によってリング７６２、７６４、７６６に取り付けられ得る。プレート７３０には複数の窓７３８が設けられている。係る窓によって材料が存在していないため、溶接ワイヤを供給する際に溶接ワイヤが接触するプレートの表面積の量が小さくなり、それによりワイヤ容器から溶接ワイヤが供給される際に溶接ワイヤが受ける摩擦の量が小さくなる。
【００３４】
プレート７３０はスロット幅を有するスロット７３４も含む。スロット７３４は、内側リング７６２及び中間リング７６４における切れ目又は間隙を定義し、内側リングの切れ目から外側リング７６６の半径方向内側の位置へと半径方向に延びている。プレート７３０にはタブ７３６が設けられており、内側リング７６２の内側間隙７７２又は切れ目に近接した位置でスロット７３４内に部分的に延びている。タブ７３６は、ワイヤ供給の際に供給される溶接ワイヤが間隙７３４に挟まるか又は引っ掛かるのを軽減するために内側リング７６２でスロット７３４を狭める役割を果たす。タブ７３６はスロット７３４の１つの壁から突出した部材として設けられているが、タブの利点と同じ利点を得るためにスロット７３４を外側リング７６６から内側リング７６２の方に徐々にテーパー状になるように構成することも考えられる（図７に図示せず）。スロット７３４は湾曲しているか又は弓形であるため、内側リング７６２から外側リング７６６に円弧状に延びていると言える。あるいは、スロット７３４は内側リング７６２から外側リング７６６に直線状に延びていてもよい。ワイヤスロット７３４は、構造面での全体的な一体性を維持するためにスポーク７６８の代わりの場所に通常位置している。内側リング７６２には切れ目又は間隙７７２が、中間リング７６４には切れ目又は間隙７７４が形成されて、ワイヤ保持リングの内側から外側に連続したスロットを促す。一実施形態では、内側間隙７７２の幅は中間間隙７７４の幅よりも小さい。しかしながら、内側間隙７７２の幅は中間間隙７７４に対して実質的に任意の大きさでよいことが分かる。ワイヤスロット７３４を用いて、ユーザーはワイヤの後端を内側リング７６２から出して外側リング７６６の近くの場所に、例えば中間リング７６４と外側リング７６６との間に移すことができる。その間、ワイヤの供給端は溶接作業のために内側リング７６２から引き出される。コイルが容器内のコイルの上部から底部の方に消費されるのに従って、ワイヤがワイヤスロット７３４を介して引き上げられ、その間に後端が第１の容器から取り出されて第２の容器内の第２のコイルの先端になる。このエンドレスなワイヤ構成を円滑にするために、後端は第２のコイルの先端と融合しているか、溶接されているか又は連結されている。後続のコイルの全てもワイヤ保持リングを含むことができるため、ワイヤに関連するもつれを軽減しながら溶接システムに対するワイヤのエンドレスな供給を効果的に提供することができる。
【００３５】
ワイヤ保持リング７００は多種多様な材料で構成することができる。多種多様な材料としては限定されないが、鋼鉄、アルミニウム、銅、ニッケル、ステンレス鋼及び真ちゅうに加えて、上述した様々な金属材料及びプラスチック材料が挙げられる。
【００３６】
図８はワイヤ保持リングの第４の実施形態の上面斜視図であり、ワイヤ保持部材８００を示す。ワイヤ保持部材８００は、外周、内壁８６２及び外壁８６６を有する実質的に平面状の平面体８６０を含む。図８の実施形態に示すように、平面体の外周は８角形である。係る構成は、保持部材８００のコーナー部８１０の数が溶接ワイヤの容器のコーナー部の数と同じになるように設計されている。保持部材８００が溶接ワイヤ容器に配置されると、この構成は、溶接ワイヤの供給の際に容器内でのワイヤ保持リングの側方又は回転運動を軽減する。当然のことながら、円形の外周や他の多角形の外周の形状も考えられ、様々な溶接ワイヤ容器の内部形状に対応するように構成され得る。平面体８６０は複数の観察スロット（view  slots）８６８も含む。観察スロット８６８は、ワイヤが供給されるのに従って容器内の溶接ワイヤの高さをユーザーが観察できるように設けられている。図８に示す観察スロット８６８は平面体全体に等間隔で設けられ、内壁８６２から外壁８６６に円弧状に延びているが、観察スロットは内壁から外壁に直線状、斜線状又は他の形状で延びていてもよい。
【００３７】
内壁８６２にはタブ８３６が設けられ、内壁８６２の切れ目に近接した位置でスロット８３４内に部分的に延びている。タブ８３６は、ワイヤ供給の際に供給される溶接ワイヤが間隙８３４に挟まるか又は引っ掛かるのを軽減するために内壁８６２におけるスロット８３４を狭める役割を果たす。タブ８３６はスロット８３４の１つの壁から突出した部材として設けられているが、タブの利点と同じ利点を得るために、スロット８３４を外側リング８６６から内側リング８６２の方に徐々にテーパー状になるように構成することも考えられる。
【００３８】
図８に示す実施形態では、内壁８６２は円錐台状（frustoconical）であり、実質的に平面状の平面体８６０から上方に延びている。内壁８６２の頂部は円形であり、平面体８６０の中央に位置する開口８５０を定義する。溶接ワイヤの容器に挿入されると、開口８５０は溶接ワイヤのコイルの縦軸と同軸になるように方向付けられる。即ち、開口８５０とコイル状の溶接ワイヤとは共通の軸を共有する。外壁８６６も実質的に平面状の平面体８６０から上方に延びており、平面体の周囲を連続して広がっている。図８の場合のように、外壁８６６は、コーナー部８１０で交差する複数の壁の形で設けられ、コーナー部８１０の数は容器の内部のコーナー部の数と同じである。そのような多角形の構成では、各壁は壁長８９２を有し、係る壁長は溶接ワイヤ容器の内壁の長さと実質的に同じである。
【００３９】
観察スロット８６８のうちの１つの代えてワイヤスロット８３４が設けられている。ワイヤスロット８３４はスロット幅を有し、内壁８６２の切れ目又は間隙を定義する。ワイヤスロット８３４は、内壁８６２の切れ目から外壁８６６の半径方向内側の位置に半径方向に延びている。スロット８３４は湾曲しているか又は弓形であるため、内壁８６２から外壁８６６に円弧状に延びていると言える。あるいは、スロット８３４は内壁から外壁に直線状に延びていてもよい。ワイヤスロット８３４は、構造面での全体的な一体性を維持するために観察スロット８６８の代わりの位置に通常位置している。内壁８６２に内側間隙８７２又は切れ目が形成されてワイヤ保持部材８００の内側から外側に連続したスロットを促す。ワイヤスロット８３４を用いて、ユーザーはワイヤの後端を内壁８６２から出して外壁８６６の近くの場所に移すことができる。その間、ワイヤの供給端は溶接作業のために内壁８６２から引き出される。コイルが容器内のコイルの上部から底部の方に消費されるのに従って、ワイヤがワイヤスロット８３４を介して引き上げられ、その間にワイヤの後端が第１の容器から引き出されて第２の容器内の第２のコイルの先端になる。このエンドレスなワイヤ構成を円滑にするために、後端は第２のコイルの先端と融合しているか、溶接されているか又は連結されている。後続のコイルの全てもワイヤ保持リングを含むことができるため、ワイヤに関連するもつれを軽減しながら溶接システムに対するエンドレスなワイヤの供給を効果的に提供することができる。
【００４０】
ワイヤ保持部材８００は多種多様な材料で構成することができる。多種多様な材料としては限定されないが、鋼鉄、アルミニウム、銅、ニッケル、ステンレス鋼及び真ちゅうに加えて、上述した様々な金属材料及びプラスチック材料が挙げられる。
【００４１】
図９はワイヤ保持リング９００の他の実施形態の上面斜視図である。ワイヤ保持リング９００は不連続な内側リング９６２、不連続な中間リング９６４及び不連続な外側リング９６６を含む。それらのリングは軸方向に且つ同心円状に並んでいるか又は互いに同軸に並んでいる。内側リング９６２の半径はＡであり、中間リング９６４の半径はＢであり、外側リング９６６の半径はＣであり、半径Ｃは半径Ｂよりも大きく、半径Ｂは半径Ａよりも大きい。それに加えて、内側リングの中央から上昇動作で引き出されるワイヤに対応するために、内側リング９６２によって定義される水平面の高度は、外側リング９６６によって定義される水平面の高度よりも高い。中間リング９６４によって定義される水平面の高度は外側リング９６６によって定義される水平面の高度と実質的に同じである。
【００４２】
複数のスポーク９６８が内側リング９６２から外側リング９６６に半径方向に延びて、ワイヤ保持リング９００に構造的な支持を提供し、さらなる重量を加え、容器内でのワイヤ保持リング９００の位置又は指印を維持する。スポークはリング９６２、９６４及び９６６のそれぞれに連結されているため、外側リング９６６及び中間リング９６４に対する内側リングの高度によりスポークは一般に外側リングから内側リングの方に上向きに傾斜している。本実施形態で示すように、ある例ではワイヤ保持リング９００は、それぞれが内側リング９６２から外側リング９６６に半径方向に延びた７つのスポーク９６８を有する。８つのコーナー部を有する容器（例えば、図１及び図２に示す８つの垂直壁の交差点）では、各スポーク９６８がコーナー部内に配置されて、容器内でのワイヤ保持リング９００の側方又は回転運動を軽減する。スポークの長さは半径Ｃより小さくてもよいし、半径Ｃと実質的に同じでもよいし又は半径Ｃより大きくてもよい。一実施形態では、スポーク９６８は半径Ｃよりも長い。スポーク９６８は外側リングと交差して、外側リング９６６沿いに弧長を有する複数の区域９９２を形成する。スポーク９６８は外側リング９６６の周囲に実質的に同じ角度で配置されているため、区域９９２は実質的に同じ弧長を有する。スポーク９６８は内側端９８２及び外側端９８４を有し、外側端９８４は約９０°の角度で上方向に曲げられている。これらの上向きの端部９８２、９８４は容器内でのリング９００の動きを軽減することに加えて、ワイヤが保持リング９００と絡み合う危険性も軽減し得る。
【００４３】
図９に示す実施形態では、ワイヤ保持リング９００は、第１の部分９３１と、第１の部分９３１から離れた第２の部分９３２とを有するワイヤガイド９３０も含む。ワイヤガイド９３０は内側リング９６２から外側リング９６６に半径方向に広がり、リング９００の内側リング９６２及び外側リング９６６に取り付けられている。それに加えて、ワイヤガイド９３０を中間リング９６４にも取り付けてもよい。ワイヤガイド９３０は、溶接、半田付け又は当業者に既知の他の固定又は接合技術によってリング９６２、９６４、９６６に取り付けられ得る。第２の部分９３２には複数の窓９３８が設けられている。係る窓によって材料が存在しないため、溶接ワイヤを供給する際に溶接ワイヤが接触する第２の部分９３２の表面積の量が小さくなり、それによりワイヤ容器から溶接ワイヤが供給される際に溶接ワイヤが受ける摩擦の量が少なくなる。
【００４４】
ワイヤガイド９３０はスロット幅を有するスロット９３４を定義する。スロット９３４は内側リング９６２、中間リング９６４及び外側リング９６６の切れ目又は間隙を定義し、それによりワイヤガイド９３０を第１の部分９３１と第２の部分９３２とに分離する。Ｒ部（radius）９３６は、スロット９３４の１つの壁から突出した部材として設けられ得るが、Ｒ部の利点と同じ利点を得るためにスロット９３４を外側リング９６６から内側リング９６２の方に徐々にテーパー状になるように構成することも考えられる（図９に図示せず）。スロット９３４の内側部分は湾曲しているか又は弓形であるため、内側リング９６２から中間リング９６４に円弧状に延びていると言える。そのために、ガイド９３０の第１の部分９３１は、内側リング９６２から中間リング９６４に延びた凹状端部１００１を含む。図示するように、端部１００１は中間リング９６４を越えて延びている場合もある。凹状端部１００１は、Ｒ部９３６から半径方向外側に延びるため、外側（即ち時計回り）に延びて内側リング９６２において突出部１００３を形成し得る。凹状端部は内側リング９６２と中間リング９６４との間の曲線の頂点１００５に到達する。頂点１００５から、凹状端部１００１は半径方向外側に連続するため内側（反時計回り）に延びる。この点から、第１の部分９３１は中間リング９６４に近接する位置から外側リング９６６の方へと扇状に広がるか又は外側に広がり、凹状端部１００１の端部に湾曲部（knee）１００７を形成する。図示するように、ガイド９３０の第１の部分９３１は湾曲部１００７から一定の傾斜で外側に延びて直線状の端部１００９を形成し得る。図示の例では、第１の部分９３１と第２の部分９３２との間に形成された間隙９７２は、端部１００１と通常同じ曲率半径を有する凹状端部１００２により内側リング９６２と中間リング９６４との間を一定の幅で維持される。端部１００２は、放射状の直線と概して平行であるものの保持リング９００の中心軸からはずれた線に沿って延びる区域１００４を中間リング９６４から外側リング９６６にかけて含み得る。区域１００４に対する第１の部分９３１の外側への広がりによって第１の部分９３１と第２の部分９３２との間に間隙９７２が開く。
【００４５】
即ち、内側リング９６２から中間リング９６４に近接する位置に延びたスロット９３４の部分は幅が実質的に一定なのに対して、中間リング９６４に近接する位置から外側リング９６６に延びたスロット９３４の部分は、中間リングから外側リングにかけて幅が増加する。あるいは、スロット９３４は内側リング９６２から中間リング９６４に直線状に延び得るが、中間リング９６４から外側リング９６６にかけて広がるようにしてもよい。ワイヤスロット９３４は、構造面での全体的な一体性を維持するためにスポーク９６８の代わりの位置に通常位置している。内側リング９６２には切れ目又は間隙９７２が、中間リング９６４には切れ目又は間隙９７４が、そして外側リング９６６には切れ目又は間隙９７６が形成されて、ワイヤ保持リング９００の内側から外側に連続したスロットを促す。一実施形態では、内側間隙９７２の幅は中間間隙９７４の幅よりも小さく、中間間隙９７４の幅は外側間隙９７６の幅よりも小さい。しかしながら、内側間隙９７２の幅は中間間隙９７４又は外側間隙９７６に対して実質的に任意の大きさでよいことが分かる。
【００４６】
スロット９３４がアーチ状か又は湾曲形状ならば、短縮スポーク９９９をワイヤガイド９３０の部分９３１、９３２の一方に取り付けて、ワイヤ容器又はボックスにおけるリング９００の整列をさらに助けることも考えられる。さらなるオプションとして、ガイド９３０の半径方向外側端に上方にオフセットした端部（upward  offset  end）を設けて保持リング９００からのワイヤの放出をさらに制御してもよい。上方にオフセットした端部は、リング９００からの放出の直前にワイヤを上方に案内して、リング９００からワイヤがより漸進的に放出されるのを促進し、ワイヤをボックスの上部又はボックス１７２の壁に位置するワイヤ保持器１７４（図１０）の方へと上方に案内して、リング９００から放出されるワイヤの長さを効果的に低減し、放出の際にｅ字状（e-script）になる可能性を軽減する。図９に示す例では、各ガイド部９３１、９３２は、各端部１００９、１００４から上方に且つ半径方向外側に延びた上方にオフセットされたリップ１０１１、１０１２をそれぞれ備え得る。図示の例では、短縮スポーク９９９は第２のガイド部９３２の第２のリップ１０１２に取り付けられている。
【００４７】
ワイヤスロット９３４を用いて、溶接処理においてワイヤの後端を内側リング９６２から出して外側リング９６６の近くの場所に、例えば中間リング９６４と外側リング９６６との間に移すことができる。一実施形態では、図１０に示すようにワイヤの後端は、ワイヤ保持器の壁１７２の内側に形成されたタブ１７４を通過し得る。その間、ワイヤの供給端が溶接作業のために内側リング９６２から引き出される。コイルが容器内のコイルの上部から底部の方に消費されるのに従って、ワイヤがワイヤスロット９３４を介して引き上げられ、その間にワイヤの後端が第１の容器から引き出されて第２の容器内の第２のコイルの先端になる。このエンドレスなワイヤ構成を円滑にするために、後端は第２のコイルの先端と融合しているか、溶接されているか又は連結されている。後続のコイルの全てもワイヤ保持リングを含むことができるため、ワイヤに関連するもつれを軽減しながら溶接システムに対するエンドレスなワイヤの供給を効果的に提供することができる。
【００４８】
ワイヤ保持リング９００は多種多様な材料で構成することができる。多種多様な材料としては限定されないが、鋼鉄、アルミニウム、銅、ニッケル、ステンレス鋼及び真ちゅうに加えて、上述した様々な金属材料及びプラスチック材料が挙げられる。それに加えて、ワイヤ保持リング９００は本明細書で説明した機能を行うのに十分な強度を有する他の非金属材料又はプラスチック材料で構成することができ、それらの例としては限定されないが紙、木材、セラミック、繊維ガラス、カーボンファイバー、これらの材料及び上述した他の材料の組み合わせが挙げられる。
【００４９】
上述の例は、本考案の様々な態様の可能性のあるいくつかの実施形態を例示したものに過ぎず、当業者であれば、本明細書及び添付の図面を読んで理解したときに同等の修正及び／又は変更を思い付く。特に、上述の構成要素（アセンブリ、装置、システム、回路、等）によって行われる様々な機能に関して、係る構成要素の説明に用いた用語は（「手段」への言及も含む）、特段指摘がない限り、本考案の例示の実施形態で説明した構成要素の特定の機能を行う開示の構造と構造的に同等でないが係る機能を行う任意の構成要素、例えばハードウェア、ソフトウェア又はその組み合わせ等に対応する。それに加えて、本考案の特定の特徴がいくつかの実施形態のうちの１つのみに関連して開示されているが、そのような特徴は所望により他の実施形態の１つ以上の他の特徴と組み合わせてもよく、所定の又は特定の用途に有用であり得る。「含む（including、includes）」、「有する（having、has、with）」又はその異形を詳細な説明及び／又は請求項で使用しているが、それらの用語は「包含する（comprising）」という用語と同じく包含的である。
【００５０】
最良の形態を含む本考案を開示し、任意の装置又はシステムの製造及び使用並びに包含される任意の方法を実行することを含む本考案の実施を当業者が行えるようにするために、本明細書では例を用いている。本考案の範囲は請求項によって定義され、当業者が思い付き得る他の例を含み得る。そのような他の例が請求項の文言と違いがない構造的要素を有しているか又は同等の構造的要素を含む場合、それらは請求項の範囲内に含まれるものとする。
【符号の説明】
【００５１】
１００  コイルシステム
１０２  第１の容器
１０４  第２の容器
１０６  ワイヤコイル
１０８  ワイヤコイル
１１８  供給端
１２２  後端
１２４  供給端
１２６  後端
１３０  保持リング
１３４  スロット
１３６  スロットレール
１３８  スロットレール
１４２  位置
１５０  上部
１５２  底部
１５４  底部
１５６  側壁
１５８  コーナー部挿入体
１６０  床板
１６２  内側リング
１６４  中間リング
１６６  外側リング
１６８  スポーク
１７２  壁
１７４  ワイヤ保持器
２１４  第１の補助レール
２１６  第２の補助レール
２２２  内側間隙
２２４  中間間隙
４１２  接続要素
４１４  垂直レール
４１６  第２の垂直レール
５００  ワイヤ保持リング
５２６  第１のスロットレール
５２８  第２のスロットレール
５３４  ワイヤスロット
５６２  不連続な内側リング
５６４  不連続な中間リング
５６６  外側リング
５６８  スポーク
５７２  内側間隙
５７４  中間間隙
５８２  内側端
５８４  外側端
５９２  弧長
７００  ワイヤ保持リング
７３０  プレート
７３４  スロット
７３６  タブ
７３８  窓
７６２  内側リング
７６４  中間リング
７６６  外側リング
７６８  スポーク
７７２  内側間隙
７７４  中間間隙
７８２  内側端
７８４  外側端
７９２  複数の区域
８００  保持部材
８１０  コーナー部
８３４  スロット
８３６  タブ
８５０  開口
８６０  平面体
８６２  内壁
８６６  外壁
８６８  スロット
８７２  内側間隙
８９２  壁長
９００  ワイヤ保持リング
９３０  ワイヤガイド
９３１  第１の部分
９３２  第２の部分
９３４  スロット
９３６  Ｒ部
９３８  複数の窓
９６２  内側リング
９６４  中間リング
９６６  外側リング
９６８  スポーク
９７２  間隙
９７４  間隙
９７６  間隙
９８２  内側端
９８４  外側端
９９２  区域
９９９  短縮スポーク
１００１  凹状端部
１００３  突出部
１００４  部分
１００５  曲線の頂点
１００７  湾曲部
１００９  直線状端部
１０１１  オフセットリップ
１０１２  オフセットリップ
Ａ  半径
Ｂ  半径
Ｃ  半径
【図１】
0003201004.tif 000003
【図２】
0003201004.tif 000004
【図３】
0003201004.tif 000005
【図４】
0003201004.tif 000006
【図５】
0003201004.tif 000007
【図６】
0003201004.tif 000008
【図７】
0003201004.tif 000009
【図８】
0003201004.tif 000010
【図９】
0003201004.tif 000011
【図１０】
0003201004.tif 000012
【手続補正書】
【提出日】平成27年8月26日(2015.8.26)
【手続補正１】
【補正対象書類名】実用新案登録請求の範囲
【補正対象項目名】全文
【補正方法】変更
【補正の内容】
【実用新案登録請求の範囲】
【請求項１】
ある容器から別の容器に溶接ワイヤを途切れなく移動させるために、前記溶接ワイヤのコイルを充填し且つ解くためのシステムであって、前記溶接ワイヤのコイルはコイル上部及びコイル底部を含み、前記溶接ワイヤの供給端は前記コイル上部から延び、前記溶接ワイヤの後端は前記コイル底部から延び、前記ある容器の方の前記後端は前記別の容器の方の前記供給端に連結可能であり、
前記システムは、
少なくとも１つの垂直に延びた側壁、底部、前記溶接ワイヤを取り出すための上部開口及び外装内にあり前記溶接ワイヤのコイルを受容するためのワイヤコイル受容空間を含み、前記供給端及び前記後端は前記上部開口の近くに配置可能である、少なくとも１つの容器と、
前記少なくとも１つの容器内の前記コイル上部に配置されるワイヤ保持リングであって：
内側半径及び内側間隙を有する不連続な内側リング；
前記内側半径よりも大きい外側半径を有し、前記内側リングと実質的に同心円状に配置された不連続な外側リング；
それぞれが前記内側リングから前記外側リングに半径方向に延び、前記外側リングと交差して前記外側リングの周囲沿いに複数の区域を形成する少なくとも２つのスポーク；及び
前記内側リングから前記外側リングに半径方向に延び、第１の部分及び第２の部分を有するワイヤガイドであって、スロット幅を有し、前記第１の部分を前記第２の部分から分離するスロットを含み、該スロットは前記内側リングの切れ目及び前記外側リングの切れ目を定義し、前記少なくとも２つのスポークのうちの１つの代わりの位置に配置されている、ワイヤガイド；
を含むワイヤ保持リングと
を含み、
第１の溶接ワイヤのコイルの後端は前記スロット内に位置している、システム。
【請求項２】
中間半径と、前記スロットに対応する中間間隙とを有する不連続な中間リングをさらに含み、該中間リングは前記内側リングと実質的に同心円状に配置され、前記中間半径は前記内側半径よりも大きく、前記外側半径よりも小さい、請求項１に記載のシステム。
【請求項３】
前記溶接ワイヤの前記後端は前記内側リングよりも前記外側リングに近い位置に配置されている、請求項１又は２に記載のシステム。
【請求項４】
前記少なくとも１つの容器は前記垂直に延びた側壁を所定数含み、前記スポークの数は前記垂直に延びた側壁の数と同じであり、前記垂直に延びた側壁は、前記容器の内側部分の周りで端と端とが互いに連結されて、前記垂直に延びた側壁の数と同じ数のコーナー部を形成し、各前記スポークは前記コーナー部内に配置されている、請求項１〜３のいずれか１項に記載のシステム。
【請求項５】
前記内側リングの水平面の高度は前記外側リングの水平面の高度よりも高い、請求項１〜４のいずれか１項に記載のシステム。
【請求項６】
前記中間リングの水平面の高度は前記外側リングの水平面の高度と実質的に同じである、請求項２に記載のシステム。
【請求項７】
前記第１の溶接ワイヤのコイルの後端は、前記容器のうちの１つの前記少なくとも１つの垂直に延びた側壁に形成されたワイヤ保持器内にさらに位置し、該ワイヤ保持器は具体的には前記容器に形成されたタブである、請求項１〜６のいずれか１項に記載のシステム。
【請求項８】
溶接ワイヤのコイルのためのワイヤ保持リングであって、前記コイルはコイル上部及びコイル底部を含み、前記溶接ワイヤの供給端は前記コイル上部から延び、前記溶接ワイヤの後端は前記コイル底部から延び、前記溶接ワイヤのコイルの後端は別のワイヤのコイルの供給端に連結可能であり、
前記ワイヤ保持リングは：
内側半径及び内側間隙を有する不連続な内側リング；
前記内側半径よりも大きい外側半径を有し、前記内側リングと実質的に同心円状に配置された不連続な外側リング；
それぞれが前記内側リングから前記外側リングに半径方向に延び、前記外側リングと交差して前記外側リングの周囲沿いに複数の区域を形成する少なくとも２つのスポーク；及び
前記内側リングから前記外側リングに半径方向に延び、第１の部分及び第２の部分を有するワイヤガイドであって、スロット幅を有し、前記第１の部分を前記第２の部分から分離するスロットを含み、該スロットは前記内側リングの切れ目及び前記外側リングの切れ目を定義する、ワイヤガイド；
を含むワイヤ保持リング。
【請求項９】
前記ワイヤガイドは前記少なくとも２つのスポークのうちの１つの代わりの位置に配置されている、請求項８に記載のワイヤ保持リング。
【請求項１０】
前記ワイヤガイドの半径方向端部に取り付けられた短縮スポークをさらに含む、請求項８又は９に記載のワイヤ保持リング。
【請求項１１】
前記ワイヤガイドの前記第１の部分は、前記内側リングから中間リングに延びた凹状端部を含み、前記第２の部分は前記内側リングから前記中間リングに延びた凸状端部を有し、前記凹状端部及び前記凸状端部の曲率半径は同じである、請求項８〜１０のいずれか１項に記載のワイヤ保持リング。
【請求項１２】
前記第２の部分は、中心軸からオフセットした放射状線に沿って前記中間リングから外側に直線状に広がり、前記第１の部分は前記凹状端部及び前記第２の部分から外側に広がって前記外側リングの近くで前記ワイヤガイド内により大きい間隙を形成する外端を含む、請求項１１に記載のワイヤ保持リング。
【請求項１３】
中間半径と、前記スロットに対応する中間間隙とを有する不連続な中間リングをさらに含み、該中間リングは前記内側リングと実質的に同心円状に配置され、前記中間半径は前記内側半径よりも大きく、前記外側半径よりも小さい、請求項８〜１２のいずれか１項に記載のワイヤ保持リング。
【請求項１４】
前記内側リングから前記中間リングに近接した位置に延びた前記スロットの部分の幅は実質的に一定であり、前記中間リングに近接した前記位置から前記外側リングに延びた前記スロットの部分の幅は前記中間リングから前記外側リングにかけて増加する、請求項１３に記載のワイヤ保持リング。
【請求項１５】
コイル状のワイヤのためのエンドレスワイヤ供給システムであって：
供給端及び後端を有し、該供給端が溶接作業用のワイヤフィーダーによって供給される第１のワイヤのコイルを含む第１の容器；
供給端及び後端を有し、該供給端が前記第１のワイヤのコイルの後端に連結されている第２のワイヤのコイルを含む第２の容器；
前記第１のワイヤのコイルの上部に配置された第１のワイヤ保持リング；及び
前記第２のワイヤのコイルの上部に配置された第２のワイヤ保持リング；
を含み、
前記第１のワイヤ保持リング及び前記第２のワイヤ保持リングのそれぞれは：
内側半径及び内側間隙を有する不連続な内側リング；
前記内側半径よりも大きい外側半径を有し、前記内側リングと実質的に同心円状に配置された不連続な外側リング；
それぞれが前記内側リングから前記外側リングに半径方向に延び、前記外側リングと交差して前記外側リングの周囲沿いに複数の区域を形成する少なくとも２つのスポーク；及び
前記内側リングから前記外側リングに半径方向に延び、第１の部分及び第２の部分を有するワイヤガイドであって、スロット幅を有し、前記第１の部分を前記第２の部分から分離するスロットを含み、該スロットは前記内側リングの切れ目及び前記外側リングの切れ目を定義し、前記少なくとも２つのスポークのうちの１つの代わりの位置に配置されている、ワイヤガイド；
を含み、
前記第１のワイヤのコイルの後端は前記スロット内に位置している、エンドレスワイヤ供給システム。